(57)【要約】火花点火内燃機関または圧縮点火内燃機関に有用な燃料組成物であって、該燃料組成物は、炭化水素燃料、窒素含有清浄剤の配合物（該配合物は、ヒドロカルビル置換ポリアミンとマンニッヒ反応生成物とを含有する）、および必要に応じて、流動化剤を含有する。内燃機関において、堆積物を操作しそして抑制する方法は、結果としてこの燃料誘導システムにおいて、予想以上に効果的かつ効率的である堆積物の抑制を生じる燃料組成物を、該内燃機関に燃料供給する工程を包含する。【特許請求の範囲】
【請求項１】
火花点火内燃機関または圧縮点火内燃機関に有用な燃料組成物であって、該燃料組成物は、以下を含有する：
炭化水素燃料；
窒素含有清浄剤の配合物であって、該配合物は、ヒドロカルビル置換ポリアミンと、アルキル置換ヒドロキシ芳香族化合物、アルデヒドおよびポリアミンのマンニッヒ反応生成物とを含有し、該ポリアミンは、少なくとも１個の反応性Ｎ−Ｈ基を有する；ならびに、必要に応じて、
流動化剤であって、該流動化剤は、ポリエーテル、ポリエーテルアミンまたはそれらの混合物を含有する；
ここで、該ヒドロカルビル置換ポリアミンと該マンニッヒ反応生成物との重量比は、約０．２：１〜１：０．２である；該窒素含有清浄剤の各々は、約２０〜１００重量ｐｐｍで存在している；そして該流動化剤と該窒素含有清浄剤の配合物との重量比は、０．５未満である、
燃料組成物。
【請求項２】
前記ヒドロカルビル置換ポリアミンと前記マンニッヒ反応生成物との重量比が、約０．５：１〜１：０．５である、請求項１に記載の燃料組成物。
【請求項３】
前記窒素含有清浄剤の各々が、約２２〜８０重量ｐｐｍで存在している、請求項１に記載の燃料組成物。
【請求項４】
前記流動化剤と前記窒素含有清浄剤の配合物との重量比が、０．３未満である、請求項１に記載の燃料組成物。
【請求項５】
前記窒素含有清浄剤の配合物が、約６０重量ｐｐｍ以上で存在している、請求項１に記載の燃料組成物。
【請求項６】
前記ヒドロカルビル置換ポリアミンの該ヒドロカルビル置換基が、約９００〜１５００の数平均分子量を有するポリオレフィンから誘導される、請求項１に記載の燃料組成物。
【請求項７】
前記ポリオレフィンが、ポリイソブチレンである、請求項６に記載の燃料組成物。
【請求項８】
前記ヒドロカルビル置換ポリアミンが、エチレンジアミン、ジエチレントリアミン、Ｎ，Ｎ−ジメチル−１，３−プロパンジアミン、２−（２−アミノエチルアミノ）エタノールおよびそれらの混合物からなる群から誘導される、請求項６に記載の組成物。
【請求項９】
前記アルキル置換ヒドロキシ芳香族化合物の該ヒドロキシ芳香族部分が、フェノール、オルト−クレゾールまたはそれらの混合物を含有する、請求項１に記載の燃料組成物。
【請求項１０】
前記アルキル置換ヒドロキシ芳香族化合物の該アルキル置換基が、約４００〜１５００の数平均分子量を有するポリオレフィンから誘導される、請求項９に記載の燃料組成物。
【請求項１１】
前記ポリオレフィンが、該オレフィン二重結合の少なくとも７０％をビニリデン二重結合として有するポリイソブチレンである、請求項１０に記載の燃料組成物。
【請求項１２】
前記アルデヒドが、ホルムアルデヒドであり、そして前記マンニッヒ反応生成物が、エチレンジアミン、プロピレンジアミン、ジエチレントリアミン、Ｎ，Ｎ’−ジメチルエチレンジアミン、Ｎ，Ｎ，Ｎ’−トリメチルエチレンジアミン、Ｎ，Ｎ−ジメチルエチレンジアミン、Ｎ，Ｎ−ジメチルプロピレンジアミン、Ｎ，Ｎ’−ジメチルプロピレンジアミン、２−（２−アミノエチルアミノ）エタノールおよびそれらの混合物からなる群から誘導される、請求項１１に記載の燃料組成物。
【請求項１３】
前記炭化水素燃料が、ガソリン燃料またはディーゼル燃料であり、そして該ガソリン燃料またはディーゼル燃料が、必要に応じて、酸素化物を含有し、該酸素化物が、メタノール、エタノール、メチル第三級ブチルエーテル、エチル第三級ブチルエーテル、メチル第三級アミルエーテルまたはそれらの混合物を含有する、請求項１に記載の燃料組成物。
【請求項１４】
内燃機関を操作する方法であって、該内燃機関に、請求項１３に記載の燃料組成物を燃料供給する工程を包含する、方法。
【請求項１５】
内燃機関での堆積物を抑制する方法であって、該内燃機関に、請求項１３に記載の燃料組成物を燃料供給する工程を包含する、方法。
【発明の詳細な説明】
【技術分野】
【０００１】
（発明の分野）
本発明は、清浄剤の配合物を含有する燃料組成物および該燃料組成物を使用して内燃機関内の堆積物を操作しそして抑制する方法に関する。
【背景技術】
【０００２】
（関連技術の説明）
炭化水素燃料は、一般に、内燃機関の燃料送達システム（例えば、ディーゼルエンジンの燃料噴射器およびガソリンエンジンの吸気弁）で堆積物を形成しがちな物質を含有する。これらの堆積物は、もし、蓄積させるなら、出力、燃費および排気の点で、エンジンの性能を著しく低下し得る。炭化水素燃料には、エンジン性能が維持または向上するように、堆積物の形成を防止しそれらの除去を促進することにより、堆積物を抑制するのに有効な清浄剤を組み込むことが非常に望ましい。
【０００３】
Ｇｒａｉｆｆらは、１９９３年３月３１日に公開されたヨーロッパ公報第ＥＰ５３４５５１Ａ１号において、ガソリンおよび以下のａ）とｂ）との混合物を含有するガソリン組成物を開示している：ａ）少なくとも１種のオレフィン重合体を含有する脂肪族アルキレンポリアミン、マンニッヒポリアミン、および脂肪族アルキレンポリアミンおよびマンニッヒポリアミンの混合物からなる群から選択されるポリアミン；ならびにｂ）ヒドロカルビルポリ（オキシアルキレン）アミノカーバメート。
【０００４】
Ｃｕｎｎｉｎｇｈａｍらは、１９９７年１０月２１日に登録された米国特許第５，６７９，１１６号において、以下のａ）、ｂ）およびｃ）を含有する燃料添加剤組成物を開示している：ａ）少なくとも１種の清浄剤／分散剤であって、これは、炭化水素置換ジカルボン酸または無水物の誘導体、ポリアミンを結合した炭化水素および／またはマンニッヒ縮合生成物；ｂ）遷移金属のシクロペンタジエニル錯体；ならびにｃ）液状担体または添加剤誘導助剤。
【０００５】
Ｃｒｏｕｄａｃｅらは、１９９０年９月７日に公開された国際公報第ＷＯ９０／１００５１号において、ガソリンおよび以下を含む添加剤配合物を含有する燃料組成物を開示している：１種またはそれ以上のＣ６＋第一級アミン、１種またはそれ以上のガソリン分散剤（これは、ポリアルキルアミンおよびマンニッヒ塩基からなる群から選択される）および流動化油。
【０００６】
Ｄａｌｙは、１９９９年２月２３日に登録された米国特許第５，８７３，９１７号において、ガソリン、ポリエーテルアルコール、ヒドロカルビルフェノールおよび必要に応じて以下を含む第三成分を含有する燃料組成物を開示している：ヒドロカルビル置換アミンを含有させるための窒素含有分散剤、マンニッヒ分散剤およびポリエーテルアミン。
【０００７】
Ｗｒｉｇｈｔは、１９９２年１２月８日に登録された米国特許第５，１６９，４１０号において、ガソリン混合物を安定化する方法を開示しており、この方法は、ガソリンに、フェニレンジアミン（これは、少なくとも１個のＮ−Ｈ基を有する）と強塩基オルガノアミン（これは、マンニッヒ反応生成物を含有する）との配合物を加える工程を包含する。
【発明の開示】
【発明が解決しようとする課題】
【０００８】
本発明は、２種の窒素含有清浄剤の配合物を含有する燃料組成物に関し、これは、いずれかの窒素含有清浄剤と流動化剤との配合物を含有する燃料組成物と比較して、炭化水素燃料の内燃機関での堆積物を抑制するのに、予想外にずっと効果的かつ効率的である。
【課題を解決するための手段】
【０００９】
（発明の要旨）
本発明の目的は、エンジン性能が維持または向上するように、内燃機関での堆積物を抑制することにある。
【００１０】
本発明のさらなる目的は、ガソリンエンジンでの堆積物を抑制することにある。
【００１１】
本発明の他の目的は、ディーゼルエンジンでの堆積物を抑制することにある。
【００１２】
本発明の目的、利点および実施形態は、一部は、本明細書中で記述されており、また、一部は、本明細書または本発明の実施により明らかとなる。従って、本発明は、記述のように請求されるか、または添付の特許請求の範囲の範囲内に入るように明らかとなることが分かる。
【００１３】
本明細書中で記述し請求した本発明に従って前述の目的を達成するために、火花点火または圧縮点火内燃機関に有用な本発明の燃料組成物は、以下を含有する：炭化水素燃料；窒素含有清浄剤の配合物であって、該配合物は、ヒドロカルビル置換ポリアミンと、アルキル置換ヒドロキシ芳香族化合物、アルデヒドおよびポリアミンのマンニッヒ反応生成物とを含有し、該ポリアミンは、少なくとも１個の反応性Ｎ−Ｈ基を有する；ならびに、必要に応じて、流動化剤であって、該流動化剤は、ポリエーテル、ポリエーテルアミンまたはそれらの混合物を含有する；ここで、該ヒドロカルビル置換ポリアミンと該マンニッヒ反応生成物との重量比は、約０．２：１〜１：０．２である；該窒素含有清浄剤の各々は、約２０〜１００重量ｐｐｍで存在している；そして該流動化剤と該窒素含有清浄剤の配合物との重量比は、０．５未満である。
【００１４】
本発明の他の実施形態は、内燃機関を操作する方法であって、該方法は、該内燃機関に、本発明の燃料組成物を燃料供給する工程を包含し、ここで、該炭化水素燃料は、ガソリン燃料またはディーゼル燃料であり、そして該ガソリン燃料またはディーゼル燃料は、必要に応じて、酸素化物を含有し、該酸素化物は、メタノール、エタノール、メチル第三級ブチルエーテル、エチル第三級ブチルエーテル、メチル第三級アミルエーテルまたはそれらの混合物を含有する。
【００１５】
本発明のさらなる実施形態は、内燃機関での堆積物を抑制する方法であって、該方法は、該内燃機関に、本発明の燃料組成物を燃料供給する工程を包含し、ここで、該炭化水素燃料は、ガソリン燃料またはディーゼル燃料であり、そして該ガソリンまたはディーゼル燃料は、必要に応じて、酸素化物を含有し、該酸素化物は、メタノール、エタノール、メチル第三級ブチルエーテル、エチル第三級ブチルエーテル、メチル第三級アミルエーテルまたはそれらの混合物を含有する。
【００１６】
（発明の詳細な説明）
火花点火内燃機関または圧縮点火内燃機関に有用な本発明の燃料組成物は、以下を含有する：炭化水素燃料；窒素含有清浄剤の配合物であって、該配合物は、ヒドロカルビル置換ポリアミンと、アルキル置換ヒドロキシ芳香族化合物、アルデヒドおよびポリアミンのマンニッヒ反応生成物とを含有し、該ポリアミンは、少なくとも１個の反応性Ｎ−Ｈ基を有する；ならびに、必要に応じて、流動化剤であって、該流動化剤は、ポリエーテル、ポリエーテルアミンまたはそれらの混合物を含有する；ここで、該ヒドロカルビル置換ポリアミンと該マンニッヒ反応生成物との重量比は、約０．２：１〜１：０．２である；該窒素含有清浄剤の各々は、約２０〜１００重量ｐｐｍで存在している；そして該流動化剤と該窒素含有清浄剤の配合物との重量比は、０．５未満である。
【００１７】
本発明の炭化水素燃料は、当業者に周知である。炭化水素燃料は、一般に、種々の精製プロセスにより、石油から誘導される。この炭化水素燃料は、ガソリン燃料またはディーゼル燃料であり得る。このガソリン燃料またはディーゼル燃料は、必要に応じて、約２５重量％の酸素化物のレベルまで、酸素化物または酸素含有分子を含有できる。酸素化物には、アルコール、エーテル、ケトン、エステル、ニトロアルカン、またはそれらの混合物が挙げられる。一般的に使用される酸素化物には、メタノール、エタノール、メチル第三級ブチルエーテル、エチル第三級ブチルエーテル、メチル第三級アミルエーテルまたはそれらの混合物が挙げられる。ガソリンは、火花点火エンジンで使用するのに適切であるが、一般に、３０〜２３０℃の範囲で沸騰し、代表的に約９０〜１００の範囲の研究オクタン価を有する。ディーゼル燃料は、圧縮点火エンジンで使用するのに適切であるが、一般に、１４０〜４００℃の範囲で沸騰し、２５〜６０の範囲のセタン価を有する。
【００１８】
本発明のヒドロカルビル置換ポリアミンは、約５００〜５０００、好ましくは、約７００〜２０００、さらに好ましくは、約９００〜１５００の数平均分子量のヒドロカルビル置換基を有する。このヒドロカルビル置換基は、炭素原子の一価ラジカルであり、これは、主に、炭化水素的な性質であるが、水酸基を含めるように非炭化水素置換基を有し得、また、ヘテロ原子を含有し得る。この炭化水素置換基は、そのヒドロカルビル置換基に対して上記の数平均分子量を有するポリオレフィンから誘導できる。このポリオレフィンは、１種のオレフィンから誘導した単独重合体または２種以上のオレフィンから誘導した共重合体であり得る。このオレフィンは、２個〜約１０個の炭素原子を有し得、エチレン、プロピレン、ブテン異性体、デセン異性体、およびそれらの２種またはそれ以上の混合物が挙げられる。このポリオレフィンには、ポリエチレン、ポリプロピレン、ポリブテン、およびエチレンとプロピレンとの共重合体が挙げられる。好ましいポリオレフィンには、ルイス酸触媒（例えば、三塩化アルミニウムまたは三フッ化ホウ素）を使用して約３０〜６０重量％のイソブチレンを含有する精製流を重合することにより調製されたポリイソブチレンがある。このポリオレフィンは、そのオレフィン二重結合の少なくとも７０％が、非常に反応性のビニリデン異性体（これはまた、マンニッヒ反応生成物について、以下で記述している）として炭素鎖上の末端位置にあるポリイソブチレンであり得る。
【００１９】
本発明のヒドロカルビル置換ポリアミンのポリアミン部分は、２個またはそれ以上のアミン窒素原子を含有しかつ少なくとも１個の反応性Ｎ−Ｈ基を有するポリアミンから誘導される。このポリアミンは、脂肪族、環状脂肪族、複素環または芳香族であり得、アルキレンジアミン、ポリアルキレンポリアミンおよびヒドロキシ含有ポリアミンを含む。このヒドロカルビル置換ポリアミンを調製する際に使用できるポリアミンには、エチレンジアミン、１，３−プロピレンジアミン、Ｎ，Ｎ−ジ−メチル−１，３−プロパンジアミン、Ｎ−アミノエチルピペラジン、Ｎ−アミノプロピルモルホリン、Ｎ，Ｎ’−ジ−ブチル−パラ−フェニレンジアミン、ジエチレントリアミン、トリエチレンテトラミン、２−（２−アミノエチルアミノ）エタノール、およびそれらの混合物が挙げられる。他の場合、このヒドロカルビル置換ポリアミンは、エチレンジアミン、ジエチレントリアミン、Ｎ，Ｎ−ジ−メチル−１，３−プロパンジアミン、２−（２−アミノエチルアミノ）エタノール、およびそれらの混合物からなる群から誘導される。
【００２０】
このヒドロカルビル置換ポリアミンは、米国特許第６，１９３，７６７号で記述のいくつかの方法により、上で詳述したように、ポリオレフィンおよびポリアミンから調製でき、これらの方法には、１）ポリオレフィンをハロゲン化することに続いてポリアミンと反応させること、２）ポリオレフィンをハイドロフォーミュレートすることに続いてポリアミンと反応させ、最後に、そのアルデヒド−ポリアミン反応中間体を水素化すること、および３）ポリオレフィンをエポキシ化することに続いて、ポリアミンで還元アミノ化またはアミノ化して、それぞれ、ポリアミンまたはヒドロキシ含有ポリアミン誘導体を形成することが挙げられる。好ましい調製方法は、少なくとも１個の塩素原子を含有するように、ポリイソブチレンを塩素化する工程を包含する。次いで、この塩素化ポリイソブチレンは、一般に、約１２０℃またはそれ以上の高温で、このポリアミンと反応される。この反応を促進するために、溶媒が使用できる。ダイマーの形成を含む架橋を回避するためだけでなく、塩化水素の除去を助けるために（塩化水素を除去するには、通常、無機塩基（例えば、水酸化ナトリウムまたは炭酸ナトリウム）が使用されるものの）、過剰なポリアミンが使用できる。米国特許第５，４０７，４５３号は、ポリオレフィンをハロゲン化することに続いてポリアミンと反応させる方法を記述している。
【００２１】
本発明のマンニッヒ反応生成物は、アルキル置換ヒドロキシ芳香族化合物、アルデヒドおよびポリアミン（これは、少なくとも１個の反応性Ｎ−Ｈ基を有する）の反応から誘導される。このアルキル置換ヒドロキシ芳香族化合物のヒドロキシ芳香族部分は、フェノール、オルト−クレゾールまたはそれらの混合物を包含する。このアルキル置換ヒドロキシ芳香族化合物のアルキル置換基は、単独重合体、共重合体またはそれらの混合物であり得るポリオレフィンから誘導できる。このポリオレフィンは、約２００〜５０００、好ましくは、約３００〜３０００、さらに好ましくは、約４００〜１５００の数平均分子量を有し得る。ある場合には、このポリオレフィンは、約４００〜７００、他の場合には、約９００〜１５００の数平均分子量を有し得る。これらのポリオレフィンは、２個〜約１０個の炭素原子を有するオレフィンモノマー（これには、エチレン、プロピレン、ブテンの異性体、デセンの異性体、およびそれらの２種またはそれ以上の混合物が挙げられる）から調製できる。それらのポリオレフィンには、ポリエチレン、ポリプロピレン、ポリブテン、およびエチレンとプロピレンとの共重合体が挙げられる。好ましいポリオレフィンには、約３０〜６０重量％のイソブチレン含量を有する精製流から誘導されたポリイソブチレンがある。さらに好ましいポリオレフィンには、そのオレフィン二重結合の少なくとも７０％がビニリデン型として炭素鎖上の末端位置にあるポリイソブチレンがある。ビニリデン異性体含量が高い、高反応性のポリイソブチレンには、ＢＡＳＦから販売されているＧｌｉｓｓｏｐａｌ（登録商標）が挙げられる。このアルキル置換ヒドロキシ芳香族化合物は、周知の方法により調製でき、これには、三フッ化ホウ素のようなルイス酸触媒を使用して、ヒドロキシ芳香族化合物（例えば、フェノール）をポリオレフィン（例えば、ポリイソブチレン）でアルキル化することが含まれる。
【００２２】
本発明のマンニッヒ反応生成物を調製するのに使用されるアルデヒドは、１個〜約６個の炭素原子を有するアルデヒドであり得る。ホルムアルデヒドが好ましく、これは、その試薬形状（例えば、パラホルムアルデヒドおよびホルマリン）の１つで、使用できる。
【００２３】
本発明のマンニッヒ反応生成物を調製するのに使用されるポリアミンは、少なくとも２個またはそれ以上のアミン窒素原子を含有し、そしてマンニッヒ反応を受けることができる少なくとも１個の反応性Ｎ−Ｈ基を有する。このポリアミンには、アルキレンジアミン、ポリアルキレンポリアミン、水酸基含有ポリアミンおよび環状ポリアミンが挙げられる。このマンニッヒ反応生成物は、エチレンジアミン、プロピレンジアミン、Ｎ，Ｎ−ジメチルエチレンジアミン、Ｎ，Ｎ’−ジメチルエチレンジアミン、Ｎ，Ｎ，Ｎ’−トリメチルエチレンジアミン、Ｎ，Ｎ−ジメチルプロピレンジアミン、Ｎ，Ｎ’−ジメチルプロピレンジアミン、ジエチレントリアミン、トリエチレンテトラミン、２−（２−アミノエチルアミノ）エタノール、４−（３−アミノプロピル）−モルホリンおよびそれらの混合物からなる群から誘導できる。
【００２４】
本発明のマンニッヒ反応生成物は、米国特許第５，８７６，４６８号で記述された方法を含めた周知方法により、このアルキル置換ヒドロキシ芳香族化合物、アルデヒドおよびポリアミンを反応させることにより、調製できる。
【００２５】
本発明の流動化剤は、ポリエーテル、ポリエーテルアミンまたはそれらの混合物を含有する。本発明のポリエーテルは、式ＲＯ［ＣＨ２ＣＨ（Ｒ１）Ｏ］ｘＨで表わすことができ、ここで、Ｒは、ヒドロカルビル基である；Ｒ１は、水素、１個〜約１４個の炭素原子を有するアルキル基、およびそれらの混合物からなる群から選択される；そしてｘは、２〜約５０の数である。ヒドロカルビル基Ｒは、このヒドロカルビル置換アミンについて上記の一価炭化水素基であり、１個以上の炭素原子を有し、これには、約７個〜３０個の全炭素原子、好ましくは、約９個〜２５個の全炭素原子、さらに好ましくは、約１１個〜２０個の全炭素原子を有するアルキル基およびアルキルフェニル基が挙げられる。その繰り返しオキシアルキレン単位は、好ましくは、エチレンオキシド、プロピレンオキシドおよびブチレンオキシドから誘導される。オキシアルキレン単位の数ｘは、好ましくは、約１０〜３５、さらに好ましくは、約１８〜２７である。本発明のポリエーテルは、種々の周知方法により調製でき、これには、１モルのアルコールまたはアルキルフェノールを、通常、塩基触媒の存在下にて、連続様式で、２モルまたはそれ以上のアルキレンオキシド、アルキレンオキシドの混合物または数種のアルキレンオキシドを用いて縮合することが含まれる。米国特許第５，０９４，６６７号は、ポリエーテルを調製する反応条件を提供している。適切なポリエーテルは、Ｄｏｗ  Ｃｈｅｍｉｃａｌｓ、Ｈｕｎｔｓｍａｎ、ＩＣＩから市販されており、また、Ｂａｙｅｒ製のＡｃｔａｃｌｅａｒ（登録商標）シリーズが挙げられる。
【００２６】
本発明のポリエーテルアミンは、式Ｒ［ＯＣＨ２ＣＨ（Ｒ１）］ｎＡで表わすことができ、ここで、Ｒは、ポリエーテルについて上記のヒドロカルビル基である；Ｒ１は、水素、１個〜１４個の炭素原子を有するアルキル基およびそれらの混合物からなる群から選択される；ｎは、２〜約５０の数である；そしてＡは、−ＯＣＨ２ＣＨ２ＣＨ２ＮＲ２Ｒ２および−ＮＲ３Ｒ３からなる群から選択され、ここで、各Ｒ２は、別個に、水素、または１個またはそれ以上の炭素原子を有するヒドロカルビル基であり、そして各Ｒ３は、別個に、水素、１個またはそれ以上の炭素原子を有するヒドロカルビル基、または−［Ｒ４Ｎ（Ｒ５）］ｐＲ６であり、ここで、Ｒ４は、Ｃ２〜Ｃ１０アルキレンであり、Ｒ５およびＲ６は、別個に、水素、または１個またはそれ以上の炭素原子を有するヒドロカルビル基であり、そしてｐは、１〜約７の数である。このポリエーテルアミンは、好ましくは、エチレンオキシド、プロピレンオキシドまたはブチレンオキシドから誘導される。このポリエーテルアミン中のオキシアルキレン単位の数ｎは、好ましくは、約１０〜３５、さらに好ましくは、約１８〜２７である。本発明のポリエーテルアミンは、種々の周知方法により、調製できる。上記のアルコールまたはアルキルフェノールから誘導されたポリエーテルは、ヨーロッパ公報第ＥＰ３１０８７５号で記述されているように、還元アミノ化にて、アンモニア、アミンまたはポリアミンと縮合されて、ポリエーテルアミンを形成できる。あるいは、このポリエーテルは、米国特許第５，０９４，６６７号で記述されているように、アクリロニトリルおよび水素化ニトリル中間体と縮合されて、ポリエーテルアミンを形成できる。Ａが−ＯＣＨ２ＣＨ２ＣＨ２ＮＨ２であるポリエーテルアミンが好ましい。ポリエーテルアミンは、ＣｈｅｖｒｏｎからＴｅｃｈｒｏｎ（登録商標）シリーズで、また、ＨｕｎｔｓｍａｎからＪｅｆｆａｍｉｎｅ（登録商標）シリーズで市販されている。
【００２７】
本発明の燃料組成物は、窒素含有清浄剤の配合物を含有し、この配合物は、ヒドロカルビル置換ポリアミンと上記マンニッヒ反応生成物とを含有し、これは、約０．２：１〜１：０．２、他の実施形態では、約０．５：１〜１：０．５、約０．７５：１〜１：０．７５、および約１：１のポリアミンとマンニッヒ反応生成物との重量比であり得る。この窒素含有清浄剤の各々は、この燃料組成物中にて、約２０〜１００重量ｐｐｍ、好ましくは、約２２〜８０重量ｐｐｍ、さらに好ましくは、約２４〜６０重量ｐｐｍで存在できる。この燃料組成物は、必要に応じて、流動化剤を含み、この流動化剤は、上記のように、ポリエーテル、ポリエーテルアミンまたはそれらの混合物を含有し、ここで、流動化剤と窒素含有清浄剤の配合物との重量比は、０．５未満、他の実施形態では、０．３未満、さらに他の実施形態では、０．２未満である。
【００２８】
本発明の他の実施形態では、この燃料組成物は、以下の表１および２の例で示すように、約６０重量ｐｐｍ以上で、窒素含有清浄剤、ヒドロカルビル置換ポリアミンおよびマンニッヒ反応生成物の配合物を含有する。
【００２９】
内燃機関を操作する本発明の方法は、該内燃機関に、本発明の燃料組成物（これは、本明細書中で記述しているように、炭化水素燃料、窒素含有清浄剤の配合物および必要に応じて、流動化剤を含有する）を燃料供給する工程を包含する。本発明の他の実施形態では、内燃機関での堆積物を抑制する方法は、該内燃機関に、本明細書中で記述している本発明の燃料組成物を燃料供給する工程を包含する。本発明の方法の利点は、以下の表１および２の例で示す。
【００３０】
本発明の燃料組成物は、燃料添加剤および燃料添加剤濃縮物の取り扱いおよび移送をし易くして均一な燃料添加剤および燃料組成物を提供するために、溶媒を含有できる。この溶媒は、脂肪族炭化水素、芳香族炭化水素、グリコールエーテル、アルコールまたはそれらの混合物であり得る。適切な溶媒の例には、種々のナフサ、種々の灯油、ベンゼン、トルエン、キシレン、２個〜１０個の炭素原子を有する脂肪族アルコール、またはそれらの混合物が挙げられる。
【００３１】
本発明の燃料組成物は、それを使用する内燃機関の要件に依存して、追加燃料添加剤を含有できる。一般に、この燃料組成物は、酸化防止剤（例えば、ヒンダードフェノール）、スクシンイミドのような補助清浄剤、腐食防止剤（例えば、アルケニルコハク酸）、帯電防止剤、殺生物剤、解乳化剤、および追加流動化剤（例えば、鉱油およびポリ（α−オレフィン））を含有できる。ガソリン燃料組成物は、アンチノック添加剤（例えば、メチルシクロペンタジエニルマンガントリカルボニル）、ハロアルカン掃鉛剤（ｌｅａｄ  ｓｃａｖｅｎｇｅｒ）およびバルブシート後退防止添加剤（ａｎｔｉ−ｖａｌｖｅ  ｓｅａｔ  ｒｅｃｅｓｓｉｏｎ）（例えば、スルホコハク酸アルカリ金属塩）を含有できる。ディーゼル燃料組成物は、オルガノ亜硝酸塩または硝酸塩セタン価向上剤、寒冷流動向上剤（例えば、エチレンと酢酸ビニルとの共重合体）、発煙抑制剤、シリコーン流体のような消泡剤、および潤滑剤（例えば、トール油脂肪酸）を含有できる。
【００３２】
本発明の燃料組成物は、一般に、室温または約４０〜６０℃の高温で、その混合物が均一になるまで、以下を含み得る成分を混合することにより、調製される：炭化水素油、窒素含有清浄剤、流動化剤および追加の燃料添加剤。この炭化水素燃料には、別々に、種々の燃料添加剤および溶媒成分を加えることができるが、これらは、通常、混合物または燃料添加剤濃縮物（これは、この燃料組成物と同じ様式で、調製される）として、加えられる。
【００３３】
調製方法に関して本願で引用した特許文献の内容は、それらの調製方法の開示について、本明細書中で参考として援用されている。
【００３４】
内燃機関における堆積物を抑制する際の本発明の利点は、表１および２の以下の例で示す。
【００３５】
（表１）
（エタノール含有無鉛ガソリンを使ったＢＭＷａ２，５００マイル）
【００３６】
【表１】
2004537641.tif 000002
（表２）
（無鉛ガソリンを使ったＢＭＷａ２，５００マイル）
【００３７】
【表２】
2004537641.tif 000003
ａ２，５００マイルの試験サイクルに対する吸気弁堆積物に関するＢＭＷ車で運転した燃料誘導システム堆積物試験。
【００３８】
ｂ塩素化ポリイソブチレン（分子量１３００）およびエチレンジアミンの縮合ら由来のヒドロカルビル置換ポリアミン。
【００３９】
ｃａ）分子量１０００の高ビニリデンポリイソブチレンに由来のアルキルフェノール、ｂ）ホルムアルデヒドおよびｃ）エチレンジアミンのマンニッヒ反応生成物。
【００４０】
ｄ１モルのＣ１２〜１５直鎖アルコールを２２〜２４モルのプロピレンオキシドで縮合したポリエーテル。
【００４１】
ｅ１モルのＣ１２〜１５直鎖アルコールを２２〜２４モルのプロピレンオキシドで縮合し、次いで、プロポキシル化アルコールをアクリロニトリルでシアノエチル化し、そのニトリル中間体を水素化してポリエーテルアミンを形成することに由来のポリエーテルアミン。
【国際公開パンフレット】
2004537641.tif 000004
2004537641.tif 000005
2004537641.tif 000006
2004537641.tif 000007
2004537641.tif 000008
2004537641.tif 000009
2004537641.tif 000010
2004537641.tif 000011
2004537641.tif 000012
2004537641.tif 000013
2004537641.tif 000014
2004537641.tif 000015
2004537641.tif 000016
2004537641.tif 000017
2004537641.tif 000018
【国際公開パンフレット（コレクトバージョン）】
2004537641.tif 000019
【手続補正書】
【提出日】平成15年7月10日(2003.7.10)
【手続補正１】
【補正対象書類名】特許請求の範囲
【補正対象項目名】全文
【補正方法】変更
【補正の内容】
【特許請求の範囲】
【請求項１】
火花点火内燃機関または圧縮点火内燃機関に有用な燃料組成物であって、該燃料組成物は、以下を含有する：
炭化水素燃料；
窒素含有清浄剤の配合物であって、該配合物は、ヒドロカルビル置換ポリアミンと、アルキル置換ヒドロキシ芳香族化合物、アルデヒドおよびポリアミンのマンニッヒ反応生成物とを含有し、該ポリアミンは、少なくとも１個の反応性Ｎ−Ｈ基を有する；ならびに、必要に応じて、
流動化剤であって、該流動化剤は、ポリエーテル、ポリエーテルアミンまたはそれらの混合物を含有する；
ここで、該アルキル置換ヒドロキシ芳香族化合物の該アルキル置換基は、９００〜１５００の数平均分子量を有するポリオレフィンから誘導される；該ヒドロカルビル置換ポリアミンと該マンニッヒ反応生成物との重量比は、約０．５：１〜１：０．５である；該窒素含有清浄剤の各々は、約２０〜１００重量ｐｐｍで存在している；該窒素含有清浄剤の配合物は、約６０重量ｐｐｍ以上で存在している；そして該流動化剤と該窒素含有清浄剤の配合物との重量比は、０．５未満である、
燃料組成物。
【請求項２】
前記窒素含有清浄剤の各々が、約２２〜８０重量ｐｐｍで存在している、請求項１に記載の燃料組成物。
【請求項３】
前記流動化剤と前記窒素含有清浄剤の配合物との重量比が、０．３未満である、請求項１に記載の燃料組成物。
【請求項４】
前記ヒドロカルビル置換ポリアミンの該ヒドロカルビル置換基が、約９００〜１５００の数平均分子量を有するポリオレフィンから誘導される、請求項１に記載の燃料組成物。
【請求項５】
前記ポリオレフィンが、ポリイソブチレンである、請求項４に記載の燃料組成物。
【請求項６】
前記ヒドロカルビル置換ポリアミンが、エチレンジアミン、ジエチレントリアミン、Ｎ，Ｎ−ジメチル−１，３−プロパンジアミン、２−（２−アミノエチルアミノ）エタノールおよびそれらの混合物からなる群から誘導される、請求項４に記載の組成物。
【請求項７】
前記アルキル置換ヒドロキシ芳香族化合物の該ヒドロキシ芳香族部分が、フェノール、オルト−クレゾールまたはそれらの混合物を含有する、請求項１に記載の燃料組成物。
【請求項８】
前記ポリオレフィンが、該オレフィン二重結合の少なくとも７０％をビニリデン二重結合として有するポリイソブチレンである、請求項７に記載の燃料組成物。
【請求項９】
前記アルデヒドが、ホルムアルデヒドであり、そして前記マンニッヒ反応生成物が、エチレンジアミン、プロピレンジアミン、ジエチレントリアミン、Ｎ，Ｎ’−ジメチルエチレンジアミン、Ｎ，Ｎ，Ｎ’−トリメチルエチレンジアミン、Ｎ，Ｎ−ジメチルエチレンジアミン、Ｎ，Ｎ−ジメチルプロピレンジアミン、Ｎ，Ｎ’−ジメチルプロピレンジアミン、２−（２−アミノエチルアミノ）エタノールおよびそれらの混合物からなる群から誘導される、請求項８に記載の燃料組成物。
【請求項１０】
前記炭化水素燃料が、ガソリン燃料またはディーゼル燃料であり、そして該ガソリン燃料またはディーゼル燃料が、必要に応じて、酸素化物を含有し、該酸素化物が、メタノール、エタノール、メチル第三級ブチルエーテル、エチル第三級ブチルエーテル、メチル第三級アミルエーテルまたはそれらの混合物を含有する、請求項１に記載の燃料組成物。
【請求項１１】
内燃機関を操作する方法であって、該内燃機関に、請求項１０に記載の燃料組成物を燃料供給する工程を包含する、方法。
【請求項１２】
内燃機関での堆積物を抑制する方法であって、該内燃機関に、請求項１０に記載の燃料組成物を燃料供給する工程を包含する、方法。
【国際調査報告】
2004537641.tif 000020
2004537641.tif 000021